(57)【特許請求の範囲】
【請求項１】
少なくとも紹介者端末と紹介配信サーバと被紹介者端末とを有し，紹介者端末に配信される番組を被紹介者端末に紹介する番組紹介システムであって，
前記紹介者端末は，
番組を視聴している人からの入力により紹介するシーンを特定し，そのシーンを特定する情報を取得し，前記紹介配信サーバに送信する手段と，
前記紹介配信サーバから特定されたシーンに関連する紹介対象の候補となる情報を取得し，表示する手段と，
紹介者の入力により，特定されたシーンに関連する情報の中から紹介対象情報を特定する手段と，
紹介者が特定した被紹介者情報，番組を特定する情報，紹介シーンを特定する情報，および紹介対象情報を含む紹介情報を作成し，前記紹介配信サーバへ送信する手段とを備え，
前記紹介配信サーバは，
前記紹介者端末から紹介シーンを特定する情報を取得する手段と，
データ蓄積装置にアクセスし，特定された紹介シーンに関連する紹介対象の候補となる情報を取得して前記紹介者端末に送信する手段と，
前記紹介者端末から紹介情報と紹介対象情報とを取得する手段と，
取得した紹介情報と紹介対象情報とに関する紹介通知を，前記被紹介者端末に送信する手段と，
前記被紹介者端末から紹介映像視聴要求を受信する手段と，
前記被紹介者端末からの紹介映像視聴要求によりその被紹介者端末に紹介映像と紹介対象情報とを送信する手段とを備え，
前記被紹介者端末は，
前記紹介配信サーバから紹介情報と紹介対象情報とに関する紹介通知を受信する手段と，
紹介映像視聴要求を前記紹介配信サーバに送信する手段と，
前記紹介配信サーバから紹介映像および紹介対象情報を受信し，明示する手段とを備える
ことを特徴とする番組紹介システム。
【請求項２】
少なくとも紹介者端末と紹介配信サーバと被紹介者端末とを有し，紹介者端末に配信される番組を被紹介者端末に紹介する番組紹介システムをコンピュータを用いて実現するための番組紹介システム用プログラムであって，
前記紹介者端末のコンピュータを，
番組を視聴している人からの入力により紹介するシーンを特定し，そのシーンを特定する情報を取得し，前記紹介配信サーバに送信する手段と，
前記紹介配信サーバから特定されたシーンに関連する紹介対象の候補となる情報を取得し，表示する手段と，
紹介者の入力により，特定されたシーンに関連する情報の中から紹介対象情報を特定する手段と，
紹介者が特定した被紹介者情報，番組を特定する情報，紹介シーンを特定する情報，および紹介対象情報を含む紹介情報を作成し，前記紹介配信サーバへ送信する手段として機能させるためのプログラムと，
前記紹介配信サーバのコンピュータを，
前記紹介者端末から紹介シーンを特定する情報を取得する手段と，
データ蓄積装置にアクセスし，特定された紹介シーンに関連する紹介対象の候補となる情報を取得して前記紹介者端末に送信する手段と，
前記紹介者端末から紹介情報と紹介対象情報とを取得する手段と，
取得した紹介情報と紹介対象情報とに関する紹介通知を，前記被紹介者端末に送信する手段と，
前記被紹介者端末から紹介映像視聴要求を受信する手段と，
前記被紹介者端末からの紹介映像視聴要求によりその被紹介者端末に紹介映像と紹介対象情報とを送信する手段として機能させるためのプログラムと，
前記被紹介者端末のコンピュータを，
前記紹介配信サーバから紹介情報と紹介対象情報とに関する紹介通知を受信する手段と，
紹介映像視聴要求を前記紹介配信サーバに送信する手段と，
前記紹介配信サーバから紹介映像および紹介対象情報を受信し，明示する手段として機能させるためのプログラムと
からなる番組紹介システム用プログラム。
【請求項３】
少なくとも紹介者端末と紹介配信サーバと被紹介者端末とを有し，紹介者端末に配信される番組を被紹介者端末に紹介する番組紹介システムをコンピュータを用いて実現するための番組紹介システム用プログラムを記録したコンピュータ読み取り可能な記録媒体であって，
前記紹介者端末のコンピュータを，
番組を視聴している人からの入力により紹介するシーンを特定し，そのシーンを特定する情報を取得し，前記紹介配信サーバに送信する手段と，
前記紹介配信サーバから特定されたシーンに関連する紹介対象の候補となる情報を取得し，表示する手段と，
紹介者の入力により，特定されたシーンに関連する情報の中から紹介対象情報を特定する手段と，
紹介者が特定した被紹介者情報，番組を特定する情報，紹介シーンを特定する情報，および紹介対象情報を含む紹介情報を作成し，前記紹介配信サーバへ送信する手段として機能させるためのプログラムと，
前記紹介配信サーバのコンピュータを，
前記紹介者端末から紹介シーンを特定する情報を取得する手段と，
データ蓄積装置にアクセスし，特定された紹介シーンに関連する紹介対象の候補となる情報を取得して前記紹介者端末に送信する手段と，
前記紹介者端末から紹介情報と紹介対象情報とを取得する手段と，
取得した紹介情報と紹介対象情報とに関する紹介通知を，前記被紹介者端末に送信する手段と，
前記被紹介者端末から紹介映像視聴要求を受信する手段と，
前記被紹介者端末からの紹介映像視聴要求によりその被紹介者端末に紹介映像と紹介対象情報とを送信する手段として機能させるためのプログラムと，
前記被紹介者端末のコンピュータを，
前記紹介配信サーバから紹介情報と紹介対象情報とに関する紹介通知を受信する手段と，
紹介映像視聴要求を前記紹介配信サーバに送信する手段と，
前記紹介配信サーバから紹介映像および紹介対象情報を受信し，明示する手段として機能させるためのプログラムと
からなる番組紹介システム用プログラムを記録した記録媒体。
【発明の詳細な説明】
【０００１】
【発明の属する技術分野】
本発明は，ある番組の視聴者が他の任意の視聴者に特定のシーンを紹介映像として見せることにより，視聴中の番組を紹介する番組紹介システムにおいて，特定した紹介シーンの中からさらに紹介対象を特定し，被紹介者に対して明示する方法に関するものである。ここで，紹介シーンとは番組内のある瞬間の画面全体の映像を指し，紹介対象とは紹介シーンの中のある一部分であり，紹介者が特に紹介したいと考えて特定した対象のことを指す。
【０００２】
【従来の技術】
番組紹介システムとして，電波やコンピュータネットワークを介して配信されている番組を，他の視聴者に紹介するための技術が考えられている。このシステムでは，ユーザ端末は，放送視聴中にボタン押下などのユーザ操作を検出し，その瞬間を特定する情報を取得する。その情報を用いてその瞬間付近の映像を紹介映像として特定し，他の視聴者に見せて紹介する（特願２００１−１３９６７号「番組紹介システム」）。
【０００３】
【発明が解決しようとする課題】
特願２００１−１３９６７号（番組紹介システム）の技術では，ボタンが押下された瞬間付近の映像を他の視聴者（被紹介者）に見せるだけで，紹介者はその映像の中において紹介したいと考えている対象を部分的に特定することができないため，紹介者の意図が被紹介者に伝わらない可能性があった。
【０００４】
本発明は上記問題点の解決を図り，特定した紹介シーンの中からさらに紹介対象を特定し，紹介者の意図を被紹介者に明確に伝えることのできるシステムを提供することを目的とする。
【０００５】
【課題を解決するための手段】
上記目的を達成するために本発明に係るシステムは，ネットワークで接続されるユーザ端末（紹介者端末，被紹介者端末），および紹介配信サーバから構成される。説明の便宜上，紹介者端末と被紹介者端末とを区別しているが，これらは処理の違いを表しているに過ぎず，ユーザ端末としての区別はない。
【０００６】
紹介者端末は，番組を視聴している人からの入力により紹介するシーンを特定し，そのシーンを特定する情報を取得し，紹介配信サーバに送信する手段と，紹介配信サーバから特定されたシーンに関連する紹介対象の候補となる情報を取得し，表示する手段と，紹介者の入力により，特定されたシーンに関連する情報の中から紹介対象情報を特定する手段と，紹介者が特定した被紹介者情報，番組を特定する情報，紹介シーンを特定する情報，および紹介対象情報を含む紹介情報を作成し，紹介配信サーバへ送信する手段とを備えた装置である。ここで，紹介対象とは，紹介者が紹介シーンの中で紹介したいと考えている登場人物や物などを表す。紹介対象情報は，紹介シーン中の紹介位置情報でもよい。
【０００７】
紹介配信サーバは，紹介者端末から紹介シーンを特定する情報を取得する手段と，データ蓄積装置にアクセスし，特定された紹介シーンに関連する紹介対象の候補となる情報を取得して紹介者端末に送信する手段と，紹介者端末から紹介情報と紹介対象情報とを取得する手段と，取得した紹介情報と紹介対象情報とに関する紹介通知を，被紹介者端末に送信する手段と，被紹介者端末から紹介映像視聴要求を受信する手段と，被紹介者端末からの紹介映像視聴要求によりその被紹介者端末に紹介映像と紹介対象情報とを送信する手段とを備えた装置である。紹介配信サーバは，紹介処理を行う紹介サーバと，映像配信を行う配信サーバとに分離されて構成されていてもよく，これらが別のマシンに実装されていてもよい。
【０００８】
被紹介者端末は，紹介配信サーバから紹介情報と紹介対象情報とに関する紹介通知を受信する手段と，紹介映像視聴要求を紹介配信サーバに送信する手段と，紹介配信サーバから紹介映像および紹介対象情報を受信し，明示する手段とを備えた装置である。
【０００９】
以上の各手段は紹介者端末，被紹介者端末，紹介配信サーバが備えるコンピュータに実行させるソフトウェア・プログラムによって実現することができる。それらのプログラムは，コンピュータが読み取り可能な可搬媒体メモリ，半導体メモリ，ハードディスク等の適当な記録媒体に格納することができる。
【００１０】
【発明の実施の形態】
以下，本発明の実施の形態を，図を用いて説明する。
【００１１】
［第１の実施の形態（関連技術）］
図１は，本発明に関連する技術の第１の実施の形態に係る構成例を示す図である。本システムは，ある番組の視聴者が他の任意の視聴者に対して，あるシーンの中で特に紹介したいと思う対象を特定し，その対象に明示的なマークを表示させた映像を紹介映像として見せることにより，視聴中の番組を紹介する番組紹介システムであり，紹介配信サーバ１，紹介者端末２，被紹介者端末３からなる。本実施の形態では紹介配信サーバ１は単一のサーバとして構成される例を示すが，紹介処理を行う紹介サーバ，映像配信を行う配信サーバに分けて構成されていてもよい。
【００１２】
紹介配信サーバ１は，紹介者端末２および被紹介者端末３とネットワークにより接続されていて，紹介情報Ｒ１の処理を行い，行われた紹介の履歴を保存し，紹介通知情報Ｒ２を作成して被紹介者端末３に紹介を通知し，被紹介者端末３からの要求に従って紹介映像Ｖを作成し，被紹介者端末３に配信する。
【００１３】
紹介者端末２は，視聴者の紹介を要求する入力を検出し，紹介したい番組と紹介したいシーンおよびその中でも特に紹介したい対象，紹介したい相手を特定して紹介情報Ｒ１を作成し，紹介配信サーバ１へ送信する。
【００１４】
被紹介者端末３は，紹介配信サーバ１から紹介が届いていることを伝える紹介通知情報Ｒ２を受信すると，視聴者の入力に従い，紹介映像要求Ｒ３を作成して紹介配信サーバ１へ送信し，紹介配信サーバ１から紹介映像Ｖおよび紹介位置情報Ｄを受信し，紹介映像Ｖを表示して，紹介位置情報Ｄに基づき紹介者が特定した紹介対象を明示するマークを表示する。
【００１５】
図１に示す各手段について説明する。紹介者端末２は，ユーザ入力信号受信手段２１，時間情報取得・保持手段２２，ポインティングデバイス表示手段２３，紹介位置情報取得・保持手段２４，被紹介者情報特定・保持手段２５，コンテンツ情報取得・保持手段２６，紹介者情報保持手段２７，紹介情報作成・保持・送信手段２８を備える。
【００１６】
ユーザ入力信号受信手段２１は，ユーザの入力信号を受信する。その入力信号は，各種情報特定手段に伝達される。時間情報取得・保持手段２２は，ユーザによるボタン押下などの入力で紹介要求があった瞬間に時間情報Ｔを取得し保持する。時間情報Ｔとは，紹介要求の操作を検出した瞬間の再生経過時間などである。ポインティングデバイス表示手段２３は，紹介シーンの中で特に紹介したいと思っている紹介対象をさらに紹介者に特定させるための手段で，マウスのカーソルなどを表示する手段である。
【００１７】
紹介位置情報取得・保持手段２４は，紹介対象を特定するための紹介者の入力信号を受信している間の，ポインティングデバイスの画面上の座標および入力時間を取得し，紹介位置情報Ｄを保持する。被紹介者情報特定・保持手段２５は，被紹介者情報Ｂを特定するための手段で，被紹介者の候補となるユーザの情報は，あらかじめ紹介者端末２で保持していてもよいし，紹介が行われるごとに紹介配信サーバ１から取得してもよい。いずれの場合もこの候補となるユーザの情報を一覧表示し，紹介者の入力信号を受信することによって特定する。また，紹介者が被紹介者情報を直接入力し，その情報を受信する場合もある。
【００１８】
コンテンツ情報取得・保持手段２６は，視聴中のコンテンツを一意に特定する情報，例えばＩＤのような情報を取得し，保持する手段である。取得するのは，番組が選択されたときでもよいし，番組が選択されたときに紹介配信サーバ１側で保持しておき，それを紹介処理が行われるときに取得してもよい。いずれの場合も紹介配信サーバ１から取得する。
【００１９】
紹介者情報保持手段２７は，紹介者端末２から紹介を行おうとしているユーザを一意に特定する紹介者情報Ａを保持する手段である。紹介者端末２にあらかじめ固有に付与されたＩＤでもよいし，紹介者が使用開始時に認証を行った際に取得し保持しておいてもよい。
【００２０】
紹介情報作成・保持・送信手段２８は，番組の紹介を紹介配信サーバ１に依頼するための紹介情報Ｒ１を作成して保持し，それを紹介配信サーバ１に送信する手段である。紹介情報Ｒ１は，少なくとも紹介者情報Ａ，被紹介者情報Ｂ，コンテンツ情報Ｃ，時間情報Ｔ，紹介位置情報Ｄを含む。これらの情報は，それぞれの作成手段で保持することもできるため，一連の処理を一度に行わなくてもよく，紹介者の入力次第で時間を空けて行ってもよい。
【００２１】
紹介配信サーバ１は，紹介情報受信手段１１，紹介履歴保持手段１２，コンテンツ特定手段１３，ユーザ特定手段１４，コンテンツ配信手段１５，紹介通知情報作成・送信手段１６，紹介映像要求受信手段１７，紹介映像作成・配信手段１８，メタ情報データベース４１，コンテンツデータベース４２を備える。
【００２２】
紹介情報受信手段１１は，紹介者端末２から紹介情報Ｒ１を受信し，紹介を受け付ける。その後，紹介履歴保持手段１２にて，紹介ごとに紹介ＩＤ情報Ｉを付与して紹介情報Ｒ１に含まれる情報を保持する。
【００２３】
図１３に，紹介履歴保持手段１２が保持するデータのテーブルの一例を示す。紹介履歴保持手段１２は，例えば図１３に示すように，紹介ＩＤごとに紹介者情報，被紹介者情報，コンテンツ情報，時間情報，紹介位置情報などのデータを保持する。
【００２４】
コンテンツ特定手段１３は，紹介情報Ｒ１に含まれるコンテンツ情報Ｃを用いて番組を特定し，メタ情報データベース４１から番組タイトルＰを取得する。ユーザ特定手段１４は，紹介者情報Ａおよび被紹介者情報Ｂを用いてそれぞれのユーザを特定し，紹介情報Ｒ１や紹介通知情報Ｒ２を通知する被紹介者端末３を特定する。
【００２５】
コンテンツ配信手段１５は，紹介映像要求受信手段１７からの要求に応じて，紹介映像作成・配信手段１８にコンテンツを伝達する。紹介通知情報作成・送信手段１６は，少なくとも紹介ＩＤ情報Ｉ，紹介者情報Ａ，番組タイトルＰを含む紹介通知情報Ｒ２を作成し，被紹介者端末３に送信する。
【００２６】
紹介映像要求受信手段１７は，被紹介者端末３から紹介映像の視聴を要求する紹介映像要求Ｒ３を受信すると，紹介映像要求Ｒ３に含まれる紹介ＩＤ情報Ｉを用いて紹介履歴保持手段１２に紹介内容を問い合わせて，紹介映像作成・配信手段１８およびコンテンツ配信手段１５に紹介映像の作成を依頼する。紹介映像作成・配信手段１８は，コンテンツ配信手段１５から紹介者が特定した紹介シーン付近の部分的な映像を紹介映像Ｖとして被紹介者端末３に配信し，紹介者が特定した紹介位置情報Ｄを併せて配信する。
【００２７】
被紹介者端末３は，紹介通知情報表示手段３１，紹介映像要求手段３２，紹介映像・紹介位置情報表示手段３３を備える。紹介通知情報表示手段３１は，紹介配信サーバ１から紹介通知情報Ｒ２を受信し，画面に表示する手段である。この画面表示例を図１４に示す。画面には，紹介通知情報Ｒ２として，例えば図１４のように，紹介が届いている旨と，紹介者名，番組名などとともに，紹介映像を視聴するかどうかの問い合わせ情報が表示される。
【００２８】
紹介映像要求手段３２は，紹介通知情報Ｒ２を表示後，ユーザの入力による紹介映像の視聴要求を検出した場合に，少なくとも紹介ＩＤ情報Ｉを含む紹介映像要求Ｒ３を作成し，紹介配信サーバ１に送信する。紹介映像・紹介位置情報表示手段３３は，紹介配信サーバ１から紹介映像Ｖ，紹介位置情報Ｄを受信して，紹介映像Ｖを画面に表示するとともに，紹介位置情報Ｄを用いて紹介対象を明示的にするマークを表示する。
【００２９】
図２〜図４を用いて処理を説明する。図２は紹介者端末２の処理フロー図である。紹介者端末２では，あらかじめ紹介者情報Ａを取得し，保持しておく（Ｓ１０）。また，番組が選択されたときにコンテンツ情報を取得し，保持する（Ｓ１１）。
【００３０】
ユーザの紹介を要求するための入力を検出すると，その瞬間の時間情報Ｔを取得し保持する（Ｓ１２，Ｓ１３）。ユーザ（紹介者）に，紹介シーンの中で特に紹介したいと思う対象を特定させるために，ポインティングデバイスを画面に表示する（Ｓ１４）。
【００３１】
ポインティングデバイスによる紹介者の入力を検出し，紹介位置情報Ｄを取得する（Ｓ１５，Ｓ１６）。紹介位置情報Ｄには，ポインティングデバイスがマウスのカーソルのように画面上の任意の場所を指定できる場合には，紹介者による入力時のポインティングデバイスの画面上における座標および入力時間が含まれる。ポインティングデバイスにより指定できる領域があらかじめ決められている場合，例えば画面を数分割した領域に分け，その中の一つの領域を選ぶ場合などには，紹介者により選ばれた領域の情報および入力時間が含まれる。
【００３２】
被紹介者情報特定・保持手段２５を用いて被紹介者情報Ｂを特定し（Ｓ１７，Ｓ１８），紹介情報Ｒ１を作成して紹介配信サーバ１へ送信する（Ｓ１９）。ステップＳ１５，Ｓ１７等において，ユーザからのキャンセル指示を検出した場合には，そのまま処理を終了する。
【００３３】
図３は，紹介配信サーバ１の処理フロー図である。紹介者端末２から紹介情報Ｒ１を受信し（Ｓ２０），紹介ＩＤ情報Ｉを付与して紹介情報Ｒ１に含まれるデータを紹介履歴として保存する（Ｓ２１）。コンテンツ情報Ｃを用いてコンテンツを特定し，番組タイトルＰを取得する（Ｓ２２）。被紹介者情報Ｂを用いて被紹介者端末３を特定し（Ｓ２３），紹介を通知するために紹介通知情報Ｒ２を作成して被紹介者端末３に送信する（Ｓ２４）。
【００３４】
被紹介者端末３から紹介映像要求Ｒ３を受信すると，紹介映像要求Ｒ３に含まれる紹介ＩＤ情報Ｉを用いて紹介履歴保持手段１２に紹介内容を問い合わせて，コンテンツ情報Ｃ，時間情報Ｔを用いて紹介映像作成・配信手段１８が紹介映像Ｖを作成する（Ｓ２５〜Ｓ２７）。このとき，紹介映像Ｖは，番組全体の中の一部分であるが，その一部分を切り出して別の映像データとして作成してもよいし，切り出さずに該当部分だけを配信する方法を用いてもよい。紹介映像Ｖおよび紹介位置情報Ｄを被紹介者端末３に配信する（Ｓ２８）。
【００３５】
図４は，被紹介者端末３の処理フロー図である。紹介配信サーバ１から紹介通知情報Ｒ２を受信し画面に表示する（Ｓ３０）。ユーザ（被紹介者）の紹介映像視聴を要求するための入力を受信し，紹介映像要求Ｒ３を作成し，紹介配信サーバ１へ送信する（Ｓ３１）。紹介映像要求Ｒ３は，少なくとも紹介通知情報Ｒ２に含まれる紹介ＩＤ情報Ｉを含む。
【００３６】
紹介配信サーバ１から紹介映像Ｖおよび紹介位置情報Ｄを受信し（Ｓ３２），紹介映像を再生し（Ｓ３３），紹介位置情報Ｄにより該当する紹介対象に明示的なマークを表示する（Ｓ３４）。
【００３７】
紹介者端末２のポインティングデバイスが画面上の任意の場所を指定できる場合の画面表示例を図１５に，指定できる領域があらかじめ決められている場合の画面表示例を図１６にそれぞれ示す。図１５，図１６では表示しきれていないが，紹介映像（門の絵）は短時間の動画である。図に示された「Ｙｅｓ」を選択すると，紹介されたコンテンツの全体を視聴することができる。
【００３８】
図５に，紹介配信サーバ１と紹介者端末２および被紹介者端末３の間のシーケンスを示す。紹介者端末２は，紹介者情報Ａを取得・保持し（Ｓ１０），またコンテンツ情報Ｃを取得・保持しておく（Ｓ１１）。紹介者の入力により時間情報Ｔ，紹介位置情報Ｄ，被紹介者情報Ｂを取得してから，紹介情報Ｒ１を作成して紹介配信サーバ１へ送信する（Ｓ１２〜Ｓ１９）。
【００３９】
紹介配信サーバ１で紹介情報Ｒ１を受信すると，紹介情報Ｒ１に含まれる情報を紹介履歴に保存し，紹介通知処理を行って紹介通知情報Ｒ２を被紹介者端末３に送信する（Ｓ２０〜Ｓ２４）。
【００４０】
被紹介者端末３は，紹介配信サーバ１から紹介通知情報Ｒ２を受信し，被紹介者の入力に従って紹介映像要求処理を行う（Ｓ３０〜Ｓ３１）。
【００４１】
紹介配信サーバ１は，被紹介者端末３から紹介映像要求Ｒ３を受信すると紹介映像作成処理を行い，紹介映像Ｖおよび紹介位置情報Ｄを被紹介者端末３に配信する（Ｓ２５〜Ｓ２８）。
【００４２】
被紹介者端末３は，紹介配信サーバ１から紹介映像Ｖと紹介位置情報Ｄを受信し，紹介対象Ｖを再生し，紹介位置情報Ｄをもとに紹介対象を明示的にする（Ｓ３２〜Ｓ３４）。
【００４３】
［第２の実施の形態（関連技術）］
図６は，本発明に関連する技術の第２の実施の形態に係る構成例を示す図である。第２の実施の形態のシステム構成は，第１の実施の形態におけるシステム構成とほぼ同じであるが，紹介者端末２にタイムシフト再生手段２９と再生番組一時蓄積手段２１０を備えた構成になっている。
【００４４】
第１の実施の形態では，紹介者端末２において紹介者による紹介要求の入力で時間情報Ｔを取得後，続けて再生されている映像を用いて紹介位置情報Ｄを特定するが，第２の実施の形態では，時間情報Ｔを取得後，時間情報Ｔで特定されるシーンの数秒前から映像をタイムシフト再生する。タイムシフト再生映像が表示されている間に，ポインティングデバイスによる紹介者の入力を受信し，紹介位置情報Ｄを取得する。
【００４５】
紹介者端末２のタイムシフト再生手段２９は，時間情報取得・保持手段２２が時間情報Ｔを取得すると，再生番組一時蓄積手段２１０にアクセスし，時間情報Ｔで特定されるシーンの前後数秒間の映像を再生する。このとき画面全体をタイムシフト再生映像面面に切り替えてもよいし，現在の画面の一部に子画面を表示し，その中で再生してもよい。また，紹介者の要求に従って複数回タイムシフト再生を行ってもよい。
【００４６】
第２の実施の形態では，紹介者端末２において紹介位置情報Ｄを取得する際に，タイムシフト再生映像を用いるので，紹介者は自分が特定した紹介シーンを再び見ることができ，これによって正確に紹介対象を特定することができる。
【００４７】
図７を用いて第２の実施の形態における処理を説明する。紹介配信サーバ１と被紹介者端末３の処理は，第１の実施の形態の場合と全く同じなので，説明は省略する。
【００４８】
図７は紹介者端末２の処理フロー図である。図７のステップＳ４４で，ポインティングデバイスを画面に表示した後，タイムシフト再生を開始する（Ｓ４５）。紹介者からの紹介対象の指示入力を検出し，紹介位置情報Ｄを取得したらタイムシフト再生を終了する（Ｓ４６〜Ｓ４８）。以上が第１の形態と異なる点で，その他は同じである。
【００４９】
図８に，紹介配信サーバ１と紹介者端末２および被紹介者端末３の間のシーケンスを示す。紹介者端末２においてタイムシフト再生処理が追加されるのみで（Ｓ４４〜Ｓ４５など），紹介配信サーバ１と紹介者端末２および被紹介者端末３の間のシーケンスは第１の実施の形態と違いはない。
【００５０】
［第３の実施の形態（本発明）］
図９は，本発明の第３の実施の形態に係る構成例を示す図である。第３の実施の形態のシステム構成は，第１の実施の形態におけるシステム構成とほぼ同じであるが，紹介者端末２に紹介メタ情報要求手段２１２，紹介メタ情報表示手段２１１を備え，紹介配信サーバ１に紹介メタ情報要求受信手段１９，紹介メタ情報特定・送信手段１１０を備えた構成になっている。また，紹介者端末２において，第１の実施の形態における紹介位置情報取得・保持手段２４が，本実施の形態では，紹介対象情報取得・保持手段２１３に置き換わっている。
【００５１】
第１，第２の実施の形態では，紹介者端末２においてポインティングデバイスを表示し，紹介者の入力を受信して紹介位置情報Ｄを取得することにより紹介対象を特定したが，第３の実施の形態では，紹介対象の候補となる紹介メタ情報Ｅを紹介配信サーバ１から紹介者端末２に提示し，その中から紹介者が選択した入力を受信して紹介対象情報Ｆを取得することにより紹介対象を特定する。
【００５２】
図９に示す各手段について説明する。紹介者端末２のユーザ入力信号受信手段２１が紹介者からの紹介を要求するための入力を受信すると，時間情報取得・保持手段２２はその瞬間の時間情報Ｔを取得し，コンテンツ情報取得・保持手段２６が保持するコンテンツ情報Ｃとともに紹介メタ情報要求手段２１２に伝達する。紹介メタ情報要求手段２１２は，時間情報Ｔ，コンテンツ情報Ｃを受信し，紹介メタ情報を要求する紹介メタ情報要求Ｒ４を作成し，紹介配信サーバ１へ送信する。紹介メタ情報要求Ｒ４には，少なくともコンテンツ情報Ｃと時間情報Ｔが含まれる。
【００５３】
紹介メタ情報表示手段２１１は，紹介配信サーバ１から紹介メタ情報Ｅを受信し画面に表示する。画面表示例を図１７に示す。図１７の例では，紹介メタ情報Ｅとして，紹介したい事物をメニュー形式で選択できるような画面が表示されている。
【００５４】
紹介対象情報取得・保持手段２１３は，ユーザ入力信号受信手段２１を介して紹介者の入力により紹介対象情報Ｆを取得する。紹介対象情報Ｆは，紹介メタ情報Ｅのうち，紹介者により選択された情報であり，対応する対象の画面上における座標およびその対象が画面に登場している間の時間に関する情報を含む場合もある。紹介情報作成・保持・送信手段２８は，紹介情報Ｒ１を作成するとき，紹介位置情報Ｄの代わりに紹介対象情報Ｆを利用する。その他の手段は第１の実施の形態と同じであるので説明を省略する。
【００５５】
紹介配信サーバ１において，紹介メタ情報要求受信手段１９は，紹介者端末２から紹介メタ情報要求Ｒ４を受信し，紹介メタ情報特定・送信手段１１０に紹介メタ情報の特定を依頼する。紹介メタ情報特定・送信手段１１０は，紹介メタ情報要求Ｒ４に含まれるコンテンツ情報Ｃと時間情報Ｔを用いて，あらかじめ記憶しているその番組のメタ情報の中から紹介メタ情報Ｅを特定し紹介者端末２に送信する。あらかじめ記憶しているメタ情報は，紹介配信サーバ１が持つ記憶装置で記憶していてもよいし，データベースのように外部記憶装置で記憶していてもよい。その他の手段は第１の実施の形態と同じであるので，説明を省略する。
【００５６】
被紹介者端末３において，紹介映像・紹介対象情報表示手段３４は，紹介映像Ｖと紹介対象情報Ｆを受信して紹介映像Ｖを画面に表示する。さらに紹介対象情報Ｆが文字列である場合には，そのまま画面に表示し，紹介対象情報Ｆが対応する紹介対象の画面上の座標と登場時間の情報を含む場合には，それらに基づいて紹介対象を明示するマークなどを表示する。それぞれの画面表示例を図１８，図１９に示す。その他は第１の実施の形態と同じであるので，説明を省略する。
【００５７】
図１０，図１１を用いて処理を説明する。図１０は紹介者端末２の処理フロー図である。紹介者端末２では，あらかじめ紹介者情報Ａを取得し，保持しておく（Ｓ６０）。また，番組が選択されたときにコンテンツ情報を取得し，保持する（Ｓ６１）。
【００５８】
紹介者の入力によりシーン紹介の指示を検出し，時間情報Ｔを取得すると（Ｓ６２〜Ｓ６３），時間情報Ｔ，コンテンツ情報Ｃを用いて紹介メタ情報要求Ｒ４を作成し，紹介配信サーバ１へ送信する（Ｓ６４）。
【００５９】
紹介配信サーバ１から紹介メタ情報Ｅを受信し画面に表示し（Ｓ６５），紹介者の入力により紹介対象情報Ｆを取得する（Ｓ６６〜Ｓ６７）。以降は第１の実施の形態と同じであるので，説明を省略する。
【００６０】
図１１は，紹介配信サーバ１の処理フロー図である。紹介者端末２から，紹介メタ情報要求Ｒ４を受信すると，紹介メタ情報要求Ｒ４に含まれるコンテンツ情報Ｃ，時間情報Ｔを用いて，あらかじめ記憶しているその番組に関するメタ情報の中から，紹介メタ情報Ｅを特定し紹介者端末２に送信する（Ｓ８０〜Ｓ８１）。以降は，第１の実施の形態と同じであるので，説明を省略する。
【００６１】
被紹介者端末３に関しては，第１の実施の形態と同じであるので，説明を省略する。
【００６２】
図１２に，紹介配信サーバ１と紹介者端末２および被紹介者端末３の間のシーケンスを示す。紹介者端末２は，紹介者情報Ａを取得・保持し（Ｓ６０），またコンテンツ情報Ｃを取得・保持しておく（Ｓ６１）。紹介者の入力により時間情報Ｔを取得すると（Ｓ６２〜Ｓ６３），紹介メタ情報要求処理を行い紹介メタ情報要求Ｒ４を紹介配信サーバ１へ送信する（Ｓ６４）。
【００６３】
紹介配信サーバ１は，紹介者端末２から紹介メタ情報要求Ｒ４を受信すると，紹介メタ情報特定処理を行い，紹介メタ情報Ｅを紹介者端末２に送信する（Ｓ８０〜Ｓ８１）。
【００６４】
紹介者端末２は，紹介配信サーバ１から紹介メタ情報Ｅを受信すると，紹介者の入力により紹介対象情報特定処理，被紹介者情報取得処理，紹介情報作成処理を行い，紹介配信サーバ１へ紹介情報Ｒ１を送信する（Ｓ６５〜Ｓ７０）。以降のシーケンスは，紹介位置情報Ｄの代わりに紹介対象情報Ｆを利用するだけの違いであり，第１の実施の形態と同様であるので説明を省略する。
【００６５】
【発明の効果】
以上説明したように，本発明によれば，紹介者は，視聴中の番組を紹介する際に紹介したいシーンだけでなく，その中で特に紹介したいと考えている対象を明確に被紹介者に伝えることができる。また，被紹介者は，紹介者の紹介したいと考えている対象を理解することができるようになる。
【図面の簡単な説明】
【図１】  本発明に関連する技術の第１の実施の形態に係る構成例を示す図である。
【図２】紹介者端末の処理フロー図である。
【図３】紹介配信サーバの処理フロー図である。
【図４】被紹介者端末の処理フロー図である。
【図５】紹介配信サーバ，紹介者端末，被紹介者端末間の処理シーケンス図である。
【図６】  本発明に関連する技術の第２の実施の形態に係る構成例を示す図である。
【図７】紹介者端末の処理フロー図である。
【図８】紹介配信サーバ，紹介者端末，被紹介者端末間の処理シーケンス図である。
【図９】本発明の第３の実施の形態に係る構成例を示す図である。
【図１０】紹介者端末の処理フロー図である。
【図１１】紹介配信サーバの処理フロー図である。
【図１２】紹介配信サーバ，紹介者端末，被紹介者端末間の処理シーケンス図である。
【図１３】紹介履歴保持手段が保持するデータのテーブルの一例を示す図である。
【図１４】紹介通知情報の画面表示例を示す図である。
【図１５】紹介映像の画面表示例を示す図である。
【図１６】紹介映像の画面表示例を示す図である。
【図１７】紹介メタ情報の画面表示例を示す図である。
【図１８】紹介映像の表示例を示す図である。
【図１９】紹介映像の表示例を示す図である。
【符号の説明】
１    紹介配信サーバ
１１  紹介情報受信手段
１２  紹介履歴保持手段
１３  コンテンツ特定手段
１４  ユーザ特定手段
１５  コンテンツ配信手段
１６  紹介通知情報作成・送信手段
１７  紹介映像要求受信手段
１８  紹介映像作成・配信手段
２    紹介者端末
２１  ユーザ入力信号受信手段
２２  時間情報取得・保持手段
２３  ポインティングデバイス表示手段
２４  紹介位置情報取得・保持手段
２５  被紹介者情報特定・保持手段
２６  コンテンツ情報取得・保持手段
２７  紹介者情報保持手段
２８  紹介情報作成・保持・送信手段
３    被紹介者端末
３１  紹介通知情報表示手段
３２  紹介映像要求手段
３３  紹介映像・紹介位置情報表示手段
４１  メタ情報データベース
４２  コンテンツデータベース
【図１】
0003825292.tif 000002
【図２】
0003825292.tif 000003
【図３】
0003825292.tif 000004
【図４】
0003825292.tif 000005
【図５】
0003825292.tif 000006
【図６】
0003825292.tif 000007
【図７】
0003825292.tif 000008
【図８】
0003825292.tif 000009
【図９】
0003825292.tif 000010
【図１０】
0003825292.tif 000011
【図１１】
0003825292.tif 000012
【図１２】
0003825292.tif 000013
【図１３】
0003825292.tif 000014
【図１４】
0003825292.tif 000015
【図１５】
0003825292.tif 000016
【図１６】
0003825292.tif 000017
【図１７】
0003825292.tif 000018
【図１８】
0003825292.tif 000019
【図１９】
0003825292.tif 000020